(57)【要約】【課題】塗布液注出孔の部分にのみ塗布液Ｌが滞留せずに櫛板の各対向空間部における根元部分から先端部分まで塗布液が行き渡るようにして頭髪に塗布されない部分が生じず、塗布ムラの無い均一な塗布ができるようにすることにある。【解決す手段】塗布液充填容器２０の注出用開口部２１に取付けられる注出用筒体部２の天板部３に複数枚の櫛板４を対向立設した櫛付注出口において、対向立設した櫛板４の各対向空間部４ａ内の注出用筒体部２の天板部３に、容器２０の注出用開口部２１に連通する塗布液注出用孔５が孔設され、立設する各櫛板４の対向面に、立設基部から先端部方向に連続して突出した塗布液流路形成用の液ガイド部６と水平方向に塗布液保持用の複数本の突出リブ７が設けられている。【選択図】図１
2004024775.tif 000002
【特許請求の範囲】
【請求項１】
塗布液充填容器の注出用開口部に取付けられる注出用筒体部の天板部に複数枚の櫛板を対向立設した櫛付注出口において、対向立設した櫛板の各対向空間部内の注出用筒体部の天板部に、容器の注出用開口部に連通する塗布液注出用孔が孔設され、立設する各櫛板の対向面に、立設基部から先端部方向に連続して突出した塗布液流路形成用の液ガイド部と水平方向に塗布液保持用の複数本の突出リブが設けられていることを特徴とする櫛付注出口。
【発明の詳細な説明】
【０００１】
【発明の属する技術分野】
本発明は、適宜容器に充填包装された整髪剤や養毛剤、毛染め剤などの塗布剤を容器から注出して、頭髪など細線状体に塗布するための塗布用櫛を備えた櫛付注出口に関する。
【０００２】
【従来の技術】
整髪剤や養毛剤あるいは毛染め剤などの頭髪に塗布して使用される塗布液を充填包装した容器の注出口には、頭髪を櫛にて梳かしながら均一に塗布できるように、櫛付の注出口が使用されている。
【０００３】
従来の櫛付注出口は、図３の側面図に示すように、塗布液Ｌを充填した容器２０の上部開口部２１に、密封状態で螺着又は凹凸嵌合方式にて密封状態に連結して取付けられる取付用筒体部１の上部１ａに注出用筒体部２を備え、該注出用筒体部２の上部に該筒体部２を封鎖する天板部３を備え、該天板部３上面に複数枚の櫛板４が垂直に立設しているものである。
【０００４】
上記櫛付注出口１０は、例えば図４（ａ）の拡大側断面図に示すように、各々櫛板４内には、容器２０の開口部２１から取付用筒体部１と注出用筒体部２とに連通する垂直孔５が孔設され、該櫛板４の先端部には、垂直孔５の先端から各櫛板４の対向空間部４ａに向かって横方向に塗布液注出用の横孔５ａが孔設されている。
【０００５】
容器２０から塗布液Ｌを注出して、頭髪に塗布する際は、フレキシブルな容器２０の側面を手で握り押圧するか、容器２０を傾けることにより、塗布液Ｌを垂直孔５を通って横孔５ａより櫛板４の対向空間部４ａに押し出した後、該櫛板４により梳かすことにより頭髪に塗布できるようになっている。
【０００６】
また、例えば、図４（ｂ）の拡大側断面図に示すように、各々櫛板４の対向空間部４ａの天板部３には、容器２０の開口部２１から取付用筒体部１と注出用筒体部２とに連通する塗布液注出用の垂直孔５が孔設されている。
【０００７】
容器２０から塗布液Ｌを注出して、頭髪に塗布する際は、フレキシブルな容器２０の側面を手で握り押圧するか、容器２０を傾けることにより、塗布液Ｌを垂直孔５を通って各櫛板４の対向空間部４ａに押し出した後、該櫛板４により梳かすことにより頭髪に塗布できるようになっている。
【０００８】
【発明が解決しようとする課題】
上記のような櫛付注出口１０においては、図４（ａ）に示すように塗布液Ｌが流出する最終出口である横孔５ａが、櫛板４の先端部に設けられている場合には、横孔５ａから注出した塗布液Ｌは、特に泡状液（ムース）などの場合に、櫛板４の先端部に留まってしまって、根元部分には行き届かない場合があり、したがって頭髪に塗布されない部分が生じたり、均一な塗布に支障を来す場合がある。
【０００９】
また、図４（ｂ）に示すように、垂直孔５が、櫛板４の先端部に設けられている場合には、垂直孔５から注出した塗布液Ｌは、特に泡状液（ムース）などの場合には、櫛板４の根元部分に留まってしまって、先端部分には行き届かない場合があり、頭髪に塗布されない部分が生じたり、均一な塗布に支障を来す場合がある。
【００１０】
本発明は、櫛付注出口において、塗布液注出孔の部分にのみ塗布液Ｌが滞留せずに、櫛板の各対向空間部における根元部分から先端部分まで塗布液が行き渡るようにして、頭髪に塗布されない部分が生じず、塗布ムラの無い、均一な塗布ができるようにすることにある。
【００１１】
【課題を解決するための手段】
本発明は、塗布液充填容器の注出用開口部に取付けられる注出用筒体部の天板部に複数枚の櫛板を対向立設した櫛付注出口において、対向立設した櫛板の各対向空間部内の注出用筒体部の天板部に、容器の注出用開口部に連通する塗布液注出用孔が孔設され、立設する各櫛板の対向面に、立設基部から先端部方向に連続して突出した塗布液流路形成用の液ガイド部と水平方向に塗布液保持用の複数本の突出リブが設けられていることを特徴とする櫛付注出口である。
【００１２】
【発明の実施の形態】
本発明の櫛付注出口の実施の形態を、図面に基づいて、以下に詳細に説明すれば、図１（ａ）は櫛付注出口１０の上面図、図１（ｂ）はその側断面図、図１（ｃ）はその櫛付注出口１０にキャップ３０を施蓋した状態の側面図、図１（ｄ）は図１（ａ）の部分上面拡大図、図１（ｅ）は櫛付注出口１０に立設した櫛板部分の部分拡大斜視図である。
【００１３】
図１（ａ）及び図１（ｂ）に示すように、本発明の櫛付注出口１０は、塗布液充填容器２０の注出用開口部２１に取付けられるようになっていて、注出用開口部２１に連通して取付けられる注出用筒体部２の上部を覆うように設けられた天板部３の上面に、複数枚の櫛板４、４、４、・・・が対向立設して配列されている。そして、図１（ｃ）に示すように、櫛付注出口１０は、櫛板４を覆うようにキャップ３０にて施蓋することができ、キャップ３０内面上部から下向きに櫛板４の各々対向空間部４ａ内に嵌入して各々注出用孔５内に密に嵌着する先端部を持つシャフト３１（又は対向空間部４ａ内に嵌入する部分は板状であって、その下端部の下向き突起状シャフト）により施封することができる。なお、天板部３の上面は、前記各櫛板４の配列された立設基部（根元）部分と他の部分が同一平面として形成されていてもよいし、図１（ａ）及び図１（ｂ）に示すように、各櫛板４の配列された立設基部（根元）部分の天板部３の上面が、他の天板部３の上面部分よりも高い段差を付けた段差天板部３ａ部分となっていてもよい。
【００１４】
また、本発明においては、容器２０の構造、形態や、櫛付注出口１０を容器２０の注出用開口部２１に取り付ける取付構造については、特に限定されるものではないが、例えば図１（ｂ）に示すように、容器２０の注出用開口部２１に螺着方式又は凹凸密着嵌合方式にて密封状態に取付可能な取付用筒体部１を備えていて、該筒体部１の上部に注出用筒体部２を備えるようにしたものでもよいし、注出用筒体部２を容器２０の注出用開口部２１に直接、螺着方式又は凹凸密着嵌合方式にて密封状態に取付可能であってもよい。
【００１５】
上記筒体部２の天板部３の上面に対向立設した櫛板４の各々対向空間部４ａ、４ａ、４ａ、・・・内における前記天板部３には、図１（ａ）及び図１（ｄ）の部分拡大上面図に示すように、容器２０の注出用開口部２１に連通する塗布液注出用孔５が孔設されている。
【００１６】
そして、対向立設する各櫛板４の各々対向空間部４ａ内の互いの対向面には、図１（ｄ）の拡大図に示すように、その櫛板４の立設基部（天板部３上面）から櫛板４先端部方向に連続して、突出した塗布液流路形成用の液ガイド部６、６、６、・・・が直線状に設けられ、前記液ガイド部６は、櫛板４の互いの対向面に対して、それぞれ反対側に１ラインずつ設けられている。
【００１７】
また、図１（ｄ）及び図１（ｅ）に示すように、対向立設する各々櫛板４の対向面には、水平方向に、塗布液保持用の複数本の細長い突出リブ７、７、７、・・・が設けられている。
【００１８】
図２は本発明の櫛付注出口１０の他の実施の形態を説明する図であり、図２（ａ）は櫛付注出口の上面図、図２（ｂ）及び図２（ｃ）は櫛付注出口の部分拡大上面図、図２（ｄ）は櫛付注出口に立設した櫛板部分の部分拡大斜視図である。
【００１９】
本発明の櫛付注出口１０の他の実施の形態は、図１（ａ）及び図１（ｂ）に示した上記の実施の形態と同様に、塗布液充填容器２０の注出用開口部２１に取付けられるようになっていて、注出用開口部２１に取付けられる注出用筒体部２の上部を覆うように設けられた天板部３の上面に、複数枚の櫛板４、４、４、・・・が対向立設し、櫛付注出口１０は、図１（ｃ）に示すものと同様に、櫛板４を覆うようにキャップ３０にて施蓋することができる。
【００２０】
また、本発明の櫛付注出口１０の他の実施の形態においても、容器２０の構造、形態や、櫛付注出口１０を容器２０の注出用開口部２１に取り付ける取付構造については、特に限定されるものではない。
【００２１】
図２（ａ）に示すように、上記注出用筒体部２上部の天板部３の上面に対向立設した櫛板４の各々対向空間部４ａ、４ａ、４ａ、・・・内における前記天板部３には、図１（ａ）及び図１（ｄ）の拡大図に示すように、容器２０の注出用開口部２１に連通する塗布液注出用孔５が孔設されている。
【００２２】
そして、対向立設する各櫛板４の各々対向空間部４ａ内の互いの対向面には、図２（ａ）及び図２（ｂ）の部分拡大上面図に示すように、その櫛板４の立設基部（天板部３上面）から櫛板４先端部方向に連続して、突出した塗布液流路形成用の２本の液ガイド部６、６が直線状に設けられている。
【００２３】
各々櫛板４の対向面の垂直方向の２本の前記液ガイド部６、６の間には、注出孔５の孔形状に対して相似形の凹部８（図２（ｂ）では注出孔５の曲率に対して相似形の曲率にて湾曲する凹部８）が形成されている。
【００２４】
また、図２（ｂ）及び図２（ｄ）に示すように、対向立設する各々櫛板４の対向面には、水平方向に、凹部８内面に沿って注出孔５と相似形の塗布液保持用の複数本の細長い突出リブ７、７、７、・・・が設けられている。
【００２５】
図２（ｃ）は、上記図２（ｂ）の各櫛板４の対向面の形状を変形させた構造の例であり、対向立設する各櫛板４の各々対向空間部４ａ内の互いの対向面に、その櫛板４の立設基部（天板部３上面）から櫛板４先端部方向に連続して、注出孔５の孔形状に対して相似形の凹部８（図２（ｃ）では注出孔５の曲率に対して相似形の曲率にて湾曲する凹部８）を形成したものである。
【００２６】
そして、その櫛板４の対向面における凹部８の水平方向の一端部に、櫛板４の互いの対向面に対して、それぞれ反対側に１本ずつ突出した塗布液流路形成用の液ガイド部６を直線状に設けたものである。
【００２７】
【発明の効果】
本発明の櫛付注出口は、従来の櫛付注出口と同様の方法で使用でき、塗布液の注出孔を挟んで互いに対向立設した櫛板の対向内面に、櫛板の立設基部から先端部方向に塗布液流路形成用の液ガイド部が突出して設けられ、また、その櫛板の対向内面には、水平方向に複数本の塗布液保持用の細長い突出リブが設けられているので、櫛板の立設基部にある注出孔から注出した塗布液を、液ガイド部に沿って立設基部から先端部方向にガイドしながら流動させることができる。
【００２８】
また、本発明の櫛付注出口は、液ガイド部に沿って立設基部から先端部方向に流動した塗布液は、水平方向に設けた複数本の突出リブにより、櫛板の対向空間部内に滞留させて保持させることができる。
【００２９】
そのため、塗布液は注出孔の部分にのみ滞留せず、櫛板の各対向空間部における櫛板の根元部分の立設基部から先端部分まで塗布液を行き渡らせることができるとともに、頭髪に対して、整髪料や毛染め液などの塗布液の塗布されない部分が生じたり、塗布ムラを発生させたりせずに、均一な塗布を可能とする櫛付注出口を提供できる。
【図面の簡単な説明】
【図１】（ａ）は本発明の一実施の形態における櫛付注出口の上面図、（ｂ）はその側断面図、（ｃ）は櫛付注出口を施蓋した状態の側面図、（ｄ）は櫛付注出口の部分拡大上面図、（ｅ）は櫛付注出口の櫛板部分の部分拡大斜視図。
【図２】（ａ）は本発明の他の実施の形態における櫛付注出口の上面図、（ｂ）は櫛付注出口の部分拡大上面図、（ｃ）は本発明のその他の実施の形態における櫛付注出口の櫛板部分の部分拡大斜視図、（ｄ）は本発明の他の実施の形態における櫛付注出口の櫛板部分の部分拡大斜視図。
【図３】従来の櫛付注出口の側面図。
【図４】従来の櫛付注出口の部分拡大側面図。
【符号の説明】
１…取付筒体部　１ａ…取付筒体部の上部　２…注出用筒体部　３…天板部
４…櫛板　４ａ…対向空間部　５…注出孔　６…液流動ガイド部
７…液保持用リブ　８…凹部
１０…櫛付注出口　２０…容器　２１…容器の注出用開口部　３０…キャップ
【図１】
2004024775.tif 000003
【図２】
2004024775.tif 000004
【図３】
2004024775.tif 000005
【図４】
2004024775.tif 000006